【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
複数の検出素子が直線に沿って配置されたラインセンサによりイメージパターンを検出し、検出結果を表す検出値データを出力する検出値データ生成部と、
前記イメージパターンの検出が行われる期間であるか否かを示す検出イネーブル信号を出力する検出イネーブル作成部と、
前記検出値データに基づいてオフセット補正候補データを作成する補正候補データ作成部と、
前記オフセット補正候補データからオフセット補正データを決定する補正データ決定部と、
前記検出値データに対して、前記オフセット補正データによるオフセット補正処理を行って補正値データを出力するオフセット補正部とを備え、
前記補正候補データ作成部は、前記検出イネーブル信号が前記イメージパターンの検出が行われる期間ではないことを示しているときに、前記オフセット補正候補データの作成を行い、
前記補正データ決定部は、保管用ラインメモリを備え、
前記補正候補データ作成部で作成された前記オフセット補正候補データを前記保管用ラインメモリに保管データとして格納し、
前記検出イネーブル信号が、前記イメージパターンの検出が行われる期間ではないことを示しているときは、前記補正データ決定部は、前記補正候補データ作成部から出力された前記オフセット補正候補データを新たな前記保管データとして前記保管用ラインメモリに格納することで、前記保管用ラインメモリに保管されている前記保管データを更新し、
前記検出イネーブル信号が、前記イメージパターンの検出が行われる期間であることを示しているときは、前記補正データ決定部は、前記更新を行わず、前記保管用ラインメモリに格納されている前記保管データを前記オフセット補正データとして出力する
ことを特徴とする情報読取装置。
【請求項２】
複数の検出素子が直線に沿って配置されたラインセンサによりイメージパターンを検出し、検出結果を表す検出値データを出力する検出値データ生成部と、
前記イメージパターンの検出が行われる期間であるか否かを示す検出イネーブル信号を出力する検出イネーブル作成部と、
前記検出値データに基づいてオフセット補正候補データを作成する補正候補データ作成部と、
前記オフセット補正候補データからオフセット補正データを決定する補正データ決定部と、
前記検出値データに対して、前記オフセット補正データによるオフセット補正処理を行って補正値データを出力するオフセット補正部とを備え、
前記補正候補データ作成部は、前記検出イネーブル信号が前記イメージパターンの検出が行われる期間ではないことを示しているときに、前記オフセット補正候補データの作成を行い、
前記補正データ決定部は、保管用ラインメモリを備え、
前記補正候補データ作成部で作成された前記オフセット補正候補データを前記保管用ラインメモリに保管データとして格納し、
前記検出イネーブル信号が、前記イメージパターンの検出が行われる期間ではないことを示しているときは、前記補正データ決定部は、前記補正候補データ作成部から出力された前記オフセット補正候補データと前記保管用ラインメモリに格納されている前記保管データとを重み付け平均することで得られる値を新たな前記保管データとして前記保管用ラインメモリに格納することで、前記保管用ラインメモリに保管されている前記保管データを更新し、
前記検出イネーブル信号が、前記イメージパターンの検出が行われる期間であることを示しているときは、前記補正データ決定部は、前記更新を行わず、前記保管用ラインメモリに格納されている前記保管データを前記オフセット補正データとして出力する
ことを特徴とする情報読取装置。
【請求項３】
前記ラインセンサの、前記直線に直交する方向に検出対象物と前記ラインセンサとの相対的移動を生じさせる手段をさらに有し、
前記検出対象物が前記ラインセンサで読み取られる位置にあるときに、前記検出イネーブル信号が前記イメージパターンの検出が行われる期間であることを示す
ことを特徴とする請求項１又は２に記載の情報読取装置。
【請求項４】
前記検出値データ生成部は、前記相対的移動に伴い、前記検出対象物について複数のラインの検出値データを順次出力し、
該複数のラインの前記検出値データを検出素子毎に平均して前記オフセット補正候補データを作成することを特徴とする請求項３に記載の情報読取装置。
【請求項５】
前記補正データ決定部は、
前記検出イネーブル信号が、前記イメージパターンの検出が行われる期間であることを示しているときに、前記保管用ラインメモリに格納されている前記保管データを読み出して、前記読み出した前記保管データを前記オフセット補正データとして出力することを特徴とする請求項１から４のいずれか１項に記載の情報読取装置。
【請求項６】
前記検出値データ生成部は、
前記ラインセンサを有し、前記ラインセンサにより検出されたイメージパターンの検出結果をアナログ形式の検出信号として出力するイメージパターン検出部と、
前記アナログ形式の検出信号をディジタル信号に変換して前記検出値データとして出力するＡ／Ｄ変換部とを有する
ことを特徴とする請求項１から５のいずれか１項に記載の情報読取装置。
【手続補正２】
【補正対象書類名】明細書
【補正対象項目名】０００９
【補正方法】変更
【補正の内容】
【０００９】
本発明の一つの態様の情報読取装置は、
複数の検出素子が直線に沿って配置されたラインセンサによりイメージパターンを検出し、検出結果を表す検出値データを出力する検出値データ生成部と、
前記イメージパターンの検出が行われる期間であるか否かを示す検出イネーブル信号を出力する検出イネーブル作成部と、
前記検出値データに基づいてオフセット補正候補データを作成する補正候補データ作成部と、
前記オフセット補正候補データからオフセット補正データを決定する補正データ決定部と、
前記検出値データに対して、前記オフセット補正データによるオフセット補正処理を行って補正値データを出力するオフセット補正部とを備え、
前記補正候補データ作成部は、前記検出イネーブル信号が前記イメージパターンの検出が行われる期間ではないことを示しているときに、前記オフセット補正候補データの作成を行い、
前記補正データ決定部は、保管用ラインメモリを備え、
前記補正候補データ作成部で作成された前記オフセット補正候補データを前記保管用ラインメモリに保管データとして格納し、
前記検出イネーブル信号が、前記イメージパターンの検出が行われる期間ではないことを示しているときは、前記補正データ決定部は、前記補正候補データ作成部から出力された前記オフセット補正候補データを新たな前記保管データとして前記保管用ラインメモリに格納することで、前記保管用ラインメモリに保管されている前記保管データを更新し、
前記検出イネーブル信号が、前記イメージパターンの検出が行われる期間であることを示しているときは、前記補正データ決定部は、前記更新を行わず、前記保管用ラインメモリに格納されている前記保管データを前記オフセット補正データとして出力する
ことを特徴とする。
本発明の他の態様の情報読取装置は、
複数の検出素子が直線に沿って配置されたラインセンサによりイメージパターンを検出し、検出結果を表す検出値データを出力する検出値データ生成部と、
前記イメージパターンの検出が行われる期間であるか否かを示す検出イネーブル信号を出力する検出イネーブル作成部と、
前記検出値データに基づいてオフセット補正候補データを作成する補正候補データ作成部と、
前記オフセット補正候補データからオフセット補正データを決定する補正データ決定部と、
前記検出値データに対して、前記オフセット補正データによるオフセット補正処理を行って補正値データを出力するオフセット補正部とを備え、
前記補正候補データ作成部は、前記検出イネーブル信号が前記イメージパターンの検出が行われる期間ではないことを示しているときに、前記オフセット補正候補データの作成を行い、
前記補正データ決定部は、保管用ラインメモリを備え、
前記補正候補データ作成部で作成された前記オフセット補正候補データを前記保管用ラインメモリに保管データとして格納し、
前記検出イネーブル信号が、前記イメージパターンの検出が行われる期間ではないことを示しているときは、前記補正データ決定部は、前記補正候補データ作成部から出力された前記オフセット補正候補データと前記保管用ラインメモリに格納されている前記保管データとを重み付け平均することで得られる値を新たな前記保管データとして前記保管用ラインメモリに格納することで、前記保管用ラインメモリに保管されている前記保管データを更新し、
前記検出イネーブル信号が、前記イメージパターンの検出が行われる期間であることを示しているときは、前記補正データ決定部は、前記更新を行わず、前記保管用ラインメモリに格納されている前記保管データを前記オフセット補正データとして出力する
ことを特徴とする。
【手続補正３】
【補正対象書類名】明細書
【補正対象項目名】００１６
【補正方法】変更
【補正の内容】
【００１６】
具体的には、オフセット補正候補データ作成部４は、検出イネーブル信号Ｄ２がイメージパターンの検出が行われる期間ではないことを示すときに、検出データ値Ｄ３に基づいて、オフセット補正候補データＤ４の作成を行い、オフセット補正データ決定部５は、検出イネーブル信号Ｄ２がイメージパターンの検出が行われる期間ではないことを示す状態から、イメージパターンの検出が行われる期間であることを示す状態に変わったときに、その直前にオフセット補正候補データ作成部４で作成されたオフセット補正候補データＤ４をオフセット補正データＤ５として出力する。
【手続補正４】
【補正対象書類名】明細書
【補正対象項目名】００２８
【補正方法】変更
【補正の内容】
【００２８】
タイミング制御部８は、検出イネーブル作成部２から出力される検出イネーブル信号Ｄ２と、システム制御部９から出力されたシステムリセット信号ＳＲＴ、ライン同期信号ＬＳＹ及び参照ライン数ＮＲＬを示すデータとを入力とし、参照ライン数ＮＲＬを示されるライン数毎にスタート信号Ｓ１及びエンド信号Ｓ２を作成し出力する。即ち、参照ライン数ＮＲＬで示されるライン数の検出値データＤ３がＡ／Ｄ変換部３から出力される毎に、スタート信号Ｓ１及びエンド信号Ｓ２を出力する。
【手続補正５】
【補正対象書類名】明細書
【補正対象項目名】００３１
【補正方法】変更
【補正の内容】
【００３１】
スタート信号Ｓ１は、ラインカウンタ８ｃのカウント値Ｎ８ｃが‘１’の期間は‘１’となり、それ以外の期間は‘０’となる。
エンド信号Ｓ２は、ラインカウンタ８ｃのカウント値Ｎ８ｃが参照ライン数ＮＲＬと等しい期間は‘１’となり、それ以外の期間は‘０’となる。参照ライン数ＮＲＬが４の場合、ラインカウンタ８ｃのカウント値Ｎ８ｃが‘４’の期間、エンド信号Ｓ２が‘１’となる。
【手続補正６】
【補正対象書類名】明細書
【補正対象項目名】００３４
【補正方法】変更
【補正の内容】
【００３４】
スタート信号Ｓ１及びエンド信号Ｓ２は、検出イネーブル信号Ｄ２が‘１’であるときは‘０’に維持され、検出イネーブル信号Ｄ２が‘０’のときに限り‘１’となり得る。
【手続補正７】
【補正対象書類名】明細書
【補正対象項目名】００３６
【補正方法】変更
【補正の内容】
【００３６】
演算処理部４１は、システム制御部９から出力されるターゲット値ＴＧＴを示すデータ及び参照ライン数ＮＲＬを示すデータと、Ａ／Ｄ変換部３から出力される検出値データＤ３と、タイミング制御部８から出力されるスタート信号Ｓ１及びエンド信号Ｓ２を入力とし、ターゲット値ＴＧＴに従い、オフセット補正候補データＤ４を作成して出力する。
【手続補正８】
【補正対象書類名】明細書
【補正対象項目名】００４４
【補正方法】変更
【補正の内容】
【００４４】
保管用ラインメモリ５２も、ラインセンサ１２の検出素子の数、従って、演算用ラインメモリ４２の記憶素子の数に等しい記憶素子を有し、オフセット補正候補データ作成部４から出力される検出素子毎のオフセット補正候補データＤ４（検出素子毎のデータ値を有する）を、保管データＤ５２として保管する。保管用ラインメモリ５２に保管されているデータＤ５２は、オフセット補正候補データ作成部４から新たなオフセット補正候補データＤ４が供給されている間に、以下のように格納され、これにより保管されているデータが更新される。保管データＤ５２はオフセット補正データＤ５として用いられる。
【手続補正９】
【補正対象書類名】明細書
【補正対象項目名】００４７
【補正方法】変更
【補正の内容】
【００４７】
検出イネーブル信号Ｄ２が‘０’の期間、オフセット補正候補データ作成部４では、スタート信号Ｓ１が‘１’の期間（○で示すタイミング）にオフセット補正候補データＤ４の作成を開始し、エンド信号Ｓ２が‘１’の期間（●で示すタイミング）でオフセット補正候補データＤ４の作成を完了する。オフセット補正候補データＤ４の作成が完了したタイミングで、ライト／リード制御部５１は、保管用ラインメモリ５２にオフセット補正候補データＤ４を書き込み、保管用ラインメモリ５２内のデータＤ５２を更新する。
【手続補正１０】
【補正対象書類名】明細書
【補正対象項目名】００５１
【補正方法】変更
【補正の内容】
【００５１】
このように、検出イネーブル信号Ｄ２が‘０’の期間は、常に新たなオフセット補正候補データＤ４が作成され、作成が完了したタイミングで保管用ラインメモリ５２の保管データＤ５２が更新される。そのため、検出イネーブル信号Ｄ２が‘０’から‘１’に変化した後、検出イネーブル信号Ｄ２が‘０’から‘１’になる前で最もそれに近い時点で作成されたオフセット補正候補データＤ４がデータＤ５２として保管用ラインメモリ５２に保存され、従って、検出イネーブル信号Ｄ２が‘１’の状態が続く限り、同じデータＤ５２がオフセット補正データＤ５としてオフセット補正データ決定部５から出力され続ける。
【手続補正１１】
【補正対象書類名】明細書
【補正対象項目名】００６０
【補正方法】変更
【補正の内容】
【００６０】
なお、上記の例では、図７を参照して説明したように、複数の参照ラインの平均を取ることで、オフセット補正候補データＤ４を作成しているが、本発明はこれに限定されるものではなく、１ラインの検出値をそのままオフセット補正候補データＤ４の値としても良い。
【手続補正１２】
【補正対象書類名】明細書
【補正対象項目名】００６２
【補正方法】変更
【補正の内容】
【００６２】
この場合には、図１２に示すように、オフセット補正候補データＤ４を受けると共に、保管用ラインメモリ５２から読み出されたデータＤ５２をライト／リード制御部５１を介して受ける重み付け平均化部５３を設け、該重み付け平均化部５３で下記の式で表される重み付け平均値Ｄ５３を求める。
Ｄ５３＝（１−α）・Ｄ５２＋α・Ｄ４
但し、αは０以上１以下の値である。
上記の式の処理は、αを指数平滑化係数とする指数平滑化と呼ばれるものである。